(57)【要約】      （修正有）【課題】交通事故が起こった過程を完全に記録し、証拠情報を確実に保存出来る車載のビデオ記録装置を提供する。【解決手段】ビデオ記録装置２の搭載されてある交通手段が他の交通手段と衝突した場合、ビデオ記録装置２は検知信号ＤＳ捕捉信号ＶＳに基づいてこの事件の過程を完全に記録した保存信号ＣＳを生成すると共に、この事件の保存信号ＣＳを上書き又は削除することができないように周期期間でこの事件の保存信号ＣＳを記憶する。これにより、ビデオ記録装置２は、事件の過程を完全に記録する信頼性を向上することができる。【選択図】図２
0003182439.tif 000002
【実用新案登録請求の範囲】
【請求項１】
交通手段に搭載されるビデオ記録装置であって、
前記ビデオ記録装置は、
プロセッサユニットと、
前記プロセッサユニットに電気的に接続されており、前記交通手段の周囲環境の映像と音声を捕捉することによって複数の捕捉信号を生成するための少なくとも一つの捕捉ユニットと、
前記プロセッサユニットに電気的に接続される記憶ユニットと、
前記プロセッサユニットに電気的に接続されており、前記交通手段の状態を検知することによって検知信号を生成するための検知ユニットと、
を含み、
前記プロセッサユニットは、少なくとも一つの周期期間で前記複数の捕捉信号をエンコードし、
前記プロセッサユニットは、前記周期期間で前記検知信号を受信していないと判定した場合、前記複数の捕捉信号を、上書き又は削除されることのできる一時記憶信号にエンコードして前記記憶ユニットに記憶し、プロセッサユニットは、
前記プロセッサユニットは、前記周期期間で前記検知信号を受信したと判定した場合、前記複数の捕捉信号を、上書き又は削除されない保存信号にエンコードして前記記憶ユニットに記憶することを特徴とするビデオ記録装置。
【請求項２】
前記周期期間は、前時期検知時間帯を含み、
前記記憶ユニットは、前記周期期間の前回期間における先前一時記憶信号を記憶し、
前記プロセッサユニットは、前記前時期検知時間帯で前記検知信号を受信したと判定した場合、前記先前一時記憶信号を、上書き又は削除されることのない先前保存信号に転換して前記記憶ユニットに記憶することを特徴とする請求項１に記載のビデオ記録装置。
【請求項３】
前記周期期間は、後時期検知時間帯を含み、
前記プロセッサユニットは、前記後時期検知時間帯で前記検知信号を受信したと判定した場合、前記周期期間の次回時間で後続保存信号を生成して前記記憶ユニットに記憶することを特徴とする請求項１に記載のビデオ記録装置。
【請求項４】
前記検知ユニットは、前記交通手段の状態を検知し、所定の振動値を超えた振動を受けた場合、前記検知信号を前記プロセッサユニットに伝送することを特徴とする請求項１に記載のビデオ記録装置。
【請求項５】
前記検知ユニットは、振動センサ（Ｇ−ｓｅｎｓｏｒ）であることを特徴とする請求項１又は４に記載のビデオ記録装置。
【請求項６】
前記保存信号は、標記のあるファイル名を有するビデオファイル若しくはビデオフォーマットを表記したビデオファイルであることを特徴とする請求項１に記載のビデオ記録装置。
【請求項７】
前記記憶ユニットは保存エリアを含み、
前記保存信号は前記保存エリアに記憶されることを特徴とする請求項１に記載のビデオ記録装置。
【請求項８】
出力ユニット及び入力ユニットを更に含み、
前記プロセッサユニットは、前記出力ユニットと前記入力ユニットとの間に電気的に接続されることを特徴とする請求項１に記載のビデオ記録装置。
【請求項９】
外部電力又は緊急電力を前記ビデオ記録装置に供給するための電源ユニットを更に含むことを特徴とする請求項１に記載のビデオ記録装置。
【請求項１０】
前記捕捉ユニットは、映像捕捉ユニット及び音声捕捉ユニットを含み、
前記プロセッサユニットは、前記映像捕捉ユニットと前記音声捕捉ユニットとの間に電気的に接続されることを特徴とする請求項１に記載のビデオ記録装置。
【請求項１１】
前記映像捕捉ユニットは、電荷結合素子（ｃｈａｒｇｅ―ｃｏｕｐｌｅｄ Ｄｅｖｉｃｅ、ＣＣＤ）又は相補型金属酸化膜半導体センサ（Ｃｏｍｐｌｅｍｅｎｔａｒｙ Ｍｅｔａｌ―Ｏｘｉｄｅ Ｓｅｍｉｃｏｎｄｕｃｔｏｒ Ｓｅｎｓｏｒ、ＣＭＯＳ Ｓｅｎｓｏｒ）であることを特徴とする請求項１０に記載のビデオ記録装置。
【請求項１２】
本体を更に含み、
前記捕捉ユニットは前記本体の外部に外付けされることを特徴とする請求項１に記載のビデオ記録装置。
【考案の詳細な説明】
【技術分野】
【０００１】
本考案は、ビデオ記録装置（Ｖｉｄｅｏ Ｒｅｃｏｒｄｅｒ Ａｐｐａｒａｔｕｓ）に関するものであり、特に交通手段に搭載されるビデオ記録装置に関するものである。
【背景技術】
【０００２】
人類は、交通手段により世界中のどこでも行ける。例を挙げて説明すると、人々は自動二輪車及び車などの交通手段を移動手段として使用するため、どこでも便利に移動できる。しかしながら、交通手段は、運転手の不当運転、交通違反、飲酒運転、事故のせいで、多くの交通事故が起こる。交通事故が起こった場合、事故原因と責任の認定は当事者の陳述及び専門機関の鑑定により判明するようになっている。しかしながら、鑑定を行う時、証拠としてのものが不十分であるため、争いの原因となってしまう。
【０００３】
ここ数年、人々は交通事故が起こった過程の証拠情報を確保するために、交通手段にビデオ記録装置を搭載するようにしている。ビデオ記録装置は、交通手段の周囲環境の映像と音声を記録することができるため、交通事故の責任の判明をより向上することができる。しかしながら、従来のビデオ記録装置は、重要な記録が上書き又は削除（ｏｖｅｒｗｒｉｔｅ）されたり、記録が不十分であったり、一部の交通事故の過程が記録しかできないなどの欠点がある。
【考案の概要】
【考案が解決しようとする課題】
【０００４】
本考案は、交通事故が起こった過程を完全に記録すると共に、検知ユニットにより特定事件を記録することによって特定事件を迅速に掌握することができる、使用利便性を向上できるビデオ記録装置を提供することを課題とする。
【課題を解決するための手段】
【０００５】
本考案に係るビデオ記録装置は交通手段に搭載される。ビデオ記録装置は、プロセッサユニット、少なくとも一つの捕捉ユニット、記憶ユニット及び検知ユニットを含む。捕捉ユニットは、プロセッサユニットに電気的に接続されており、交通手段の周囲環境の映像と音声を捕捉することによって複数の捕捉信号を生成する。記憶ユニットは、プロセッサユニットに電気的に接続される。検知ユニットは、プロセッサユニットに電気的に接続されており、交通手段の状態を検知することによって検知信号を生成する。プロセッサユニットは、少なくとも一つの周期期間で捕捉信号をエンコードする。プロセッサユニットは、周期期間で検知信号を受信していないと判定した場合、捕捉信号を、上書き又は削除されることのできる一時記憶信号にエンコードして記憶ユニットに記憶する。プロセッサユニットは、周期期間で検知信号を受信したと判定した場合、捕捉信号を、上書き又は削除されない保存信号にエンコードして記憶ユニットに記憶する。
【０００６】
本考案において、記憶ユニットが周期期間の前回期間の先前一時記憶信号を記憶し、プロセッサユニットが前時期検知時間帯で検知信号を受信したと判定した場合、プロセッサユニットは、記憶ユニットに記憶された前時期記憶信号を上書き又は削除しないように、先前一時記憶信号を前時期記憶信号に転換する。
【０００７】
本考案において、プロセッサユニットは、後時期検知時間帯で検知信号を受信したと判定した場合、複数の後続捕捉信号を生成するように捕捉ユニットを制御する。プロセッサユニットは、周期期間の次回期間で複数の後続捕捉信号を受信したことによって後続保存信号を生成して記憶ユニットに記憶する。
【０００８】
本考案において、検知ユニットは、交通手段の状態を検知するためのものである。交通手段の状態が所定の振動値を超えた旨を受信した状態である場合、検知ユニットは、検知信号をプロセッサユニットに伝送する。
【０００９】
本考案において、検知ユニットは、振動センサ（Ｇ−Ｓｅｎｓｏｒ）である。
【００１０】
本考案において、保存信号は、標記のあるファイル名を有するビデオファイル又はビデオフォーマットを表記したビデオファイルである。
【００１１】
本考案において、記憶ユニットは、保存エリアを含む。保存信号は、保存エリアに記憶される。
【００１２】
本考案において、ビデオ記録装置は、出力ユニットと入力ユニットを更に含む。プロセッサユニットは、出力ユニットと入力ユニットとの間に電気的に接続される。
【００１３】
本考案において、ビデオ記録装置は、外部電力又は緊急電力をビデオ記録装置に供給するための電源ユニットを更に含む。
【考案の効果】
【００１４】
本考案に係るビデオ記録装置によれば、交通事故が起こった過程を完全に記録すると共に、検知ユニットにより特定事件を記録することによって特定事件を迅速に掌握することができる。これにより、本考案に係るビデオ記録装置は、特定事件を完全に記録する機能をより向上できると共に、使用利便性を向上できる。
【図面の簡単な説明】
【００１５】
【図１】本考案に係るビデオ記録装置が交通手段に搭載される状態の模式図を示すものである。
【図２】本考案の他の実施例のビデオ記録装置の機能ブロックの模式図を示すものである。
【図３】図２に示すビデオ記録装置のフローチャートを示すものである。
【図４Ａ】図３に示すビデオ記録装置の動作タイミングを示すものである。
【図４Ｂ】図３に示すビデオ記録装置の他の実施例の動作タイミングを示すものである。
【図５】本考案の他の実施例に係るビデオ記録装置の機能ブロックの模式図を示すものである。
【考案を実施するための形態】
【００１６】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１７】
本考案が所定の目的を達成するために採用する技術、手段及びその効果をさらに詳細的で具体的に説明するために、以下に本考案に関わる詳しい説明及び添付図面を参照することにより、深く且つ具体的な理解を得られるが、それらの添付図面が参考及び説明のみに使われ、本考案の主張範囲を狭義的に局限するものではないことは言うまでもないことである。
【００１８】
図１は、本考案に係るビデオ記録装置が交通手段に搭載される状態の模式図を示すものである。図１に示すように、本考案に係るビデオ記録装置１は交通手段９に搭載される。捕捉ユニット１３は本体１１から分離される。捕捉ユニット１３は、運転席の計器盤に配置される。また、捕捉ユニット１３は、伝送ケーブルを介して本体１１に電気的に接続される。本体１１は、車内の電源装置に電気的に接続されるように車内に配置される。
【００１９】
捕捉ユニット１３は、映像捕捉ユニットと音声捕捉ユニットを含む。映像捕捉ユニットは、例えば電荷結合素子（ｃｈａｒｇｅ―ｃｏｕｐｌｅｄ Ｄｅｖｉｃｅ、ＣＣＤ）又は相補型金属酸化膜半導体センサ（Ｃｏｍｐｌｅｍｅｎｔａｒｙ Ｍｅｔａｌ―Ｏｘｉｄｅ Ｓｅｍｉｃｏｎｄｕｃｔｏｒ Ｓｅｎｓｏｒ、ＣＭＯＳ Ｓｅｎｓｏｒ）などのものである。音声捕捉ユニットはマイクロフォンである。即ち、捕捉ユニット１３は、交通手段の周囲環境の映像と音声を捕捉することによって捕捉信号を生成するためのものである。また、他の実施例において、本体１１は、複数の捕捉ユニット１３に電気的に接続されるようにしてもよい。また、捕捉ユニット１３は、交通手段９のフロントバンパー、リアバンパー、左右のバックミラー、車内又は交通手段９の外部ハウジングなどの任意な箇所に設置されるようにしてもよい。即ち、本考案において、捕捉ユニット１３の形態、数量及び配置位置について特に限定さていない。
【００２０】
本考案において、本体１１は、プロセッサユニット、記憶ユニット、検知ユニット、出力ユニット及び入力ユニットを含むが、これに限定されるものではない。図１に示すように、ビデオ記録装置１は、分離式装置である。捕捉ユニット１３は、本体１１の外部に外付けされる。他の実施例において、ビデオ記録装置１は、捕捉ユニット１３が本体１１に設置されるように一体成形の装置であってもよい。具体的に言えば、ビデオ記録装置１は、例えば車内の計器盤に設置される一体成形のイベントデータレコーダー（ｅｖｅｎｔ ｄａｔａ ｒｅｃｏｒｄｅｒ）などの装置であってもよい。また、図１に示すビデオ記録装置１における捕捉ユニット１３と本体１１は例示に過ぎず、図１に限定されるものではない。
【００２１】
図２は、本考案の他の実施例のビデオ記録装置の機能ブロックの模式図を示すものである。図２に示すように、ビデオ記録装置２は交通手段（図示せず）に搭載される。ビデオ記録装置２は、プロセッサユニット１０、捕捉ユニット１２、記憶ユニット１４及び検知ユニット１６を含む。また、ビデオ記録装置２は、例えばイベントデータレコーダー、航海データ記録装置（ｖｏｙａｇｅ ｄａｔａ ｒｅｃｏｒｄｅｒ）又はデジタル飛行データ記録装置（ｄｉｇｉｔａｌ ｆｌｉｇｈｔ ｄａｔａ ｒｅｃｏｒｄｅｒ）などの装置であってもよい。説明の便宜上、本実施例において、イベントデータレコーダーをビデオ記録装置２として説明する。
【００２２】
本考案に係るビデオ記録装置２は、捕捉ユニット１２により交通手段の周囲環境の映像と音声を捕捉することによって複数の捕捉信号ＶＳを生成する。捕捉ユニット１２は、捕捉信号ＶＳをプロセッサユニット１０に伝送する。検知ユニット１６が検知信号ＤＳをプロセッサユニット１０に伝送した場合、プロセッサユニット１０は、検知信号ＤＳと捕捉信号ＶＳに基づいて保存信号ＣＳを生成し、周期期間で保存信号ＣＳを記憶する。この場合、プロセッサユニット１０は、記憶ユニット１４に記憶されている保存信号ＣＳを上書き又は削除しない。
【００２３】
また、繰り返して撮影していない場合若しくは所定のファイル数に到達していない場合、プロセッサユニット１０は保存信号ＣＳを上書き又は削除しない。例えば、記憶ユニット１４が複数の保存信号ＣＳを記憶して、且つ保存信号ＣＳの数量が１０組に到達していない場合、プロセッサユニット１０は、保存信号ＣＳを上書き又は削除しない。一方、保存信号ＣＳの数量が１０組に到達した場合、プロセッサユニット１０は、時間順序で記録時間が早い第１組の保存信号ＣＳを削除することができる。また、プロセッサユニット１０について、ユーザーのニーズに応じて自由に設定することもできる。また、本考案において、繰り返して撮影していない場合若しくは所定のファイル数に到達していない場合、プロセッサユニット１０が保存信号ＣＳを上書き又は削除しないという動作方式に限定されておらず、ユーザーのニーズに応じて自由に設定することができる。
【００２４】
また、本考案に係るビデオ記録装置２は、交通手段のブラックボックス（ｂｌａｃｋ ｂｏｘ、例えばフライトデータレコーダー (ＦＤＲ) やコックピットボイスレコーダー (ＣＶＲ)など）として使用してもよい。例を挙げて説明すると、ビデオ記録装置２の搭載されてある交通手段が他の交通手段と衝突した場合、ビデオ記録装置２は検知信号ＤＳと捕捉信号ＶＳに基づいてこの事件の過程を完全に記録した保存信号ＣＳを生成すると共に、この事件の保存信号ＣＳを上書き又は削除することができないように周期期間でこの事件の保存信号ＣＳを記憶する。これにより、ビデオ記録装置２は、事件の過程を完全に記録する信頼性を向上することができる。続いて、ビデオ記録装置２の詳細な構造と動作について説明する。捕捉ユニット１２は、プロセッサユニット１０に電気的に接続される。また、捕捉ユニット１２は、交通手段の周囲環境の映像と音声を捕捉することによって、複数の捕捉信号ＶＳを生成する。また、捕捉ユニット１２は、交通手段の周囲環境の映像と音声を即時に捕捉することによって複数の捕捉信号ＶＳを生成することができるための例えば電荷結合素子又は相補型金属酸化膜半導体センサなどのものである。この場合、捕捉ユニット１２は、捕捉信号ＶＳをプロセッサユニット１０に即時に伝送することができる。また、本実施例において、捕捉ユニット１２の形態及び信号を伝送する方法について特に限定されていない。
【００２５】
プロセッサユニット１０は、捕捉ユニット１２、記憶ユニット１４及び検知ユニット１６に電気的に接続される。プロセッサユニット１０は、ビデオ記録装置２における各ユニットのエンコード／デコード、演算、処理及び信号の生成などを執行することができる例えば中央演算処理装置（ＣＰＵ）又はマイクロ・コントローラー・ユニット（ＭＣＵ）などのものである。この場合、プロセッサユニット１０は、複数の捕捉信号ＶＳを受信して一時記憶信号ＴＳを生成すると共に、周期期間で一時記憶信号ＴＳを記憶する。一時記憶信号ＴＳは、記憶ユニット１４で所定の時間だけに保留されている。プロセッサユニット１０は、所定の時間で一時記憶信号ＴＳを上書き又は削除する。
【００２６】
従来のイベントデータレコーダーとは異なり、本考案に係るビデオ記録装置２において、プロセッサユニット１０が検知信号ＤＳを受信していない場合、従来のイベントデータレコーダーと同様に、交通手段の周囲環境の映像と音声を記録することによって、プロセッサユニット１０で上書き又は削除されることのできる一時記憶信号ＴＳを生成することができる。一方、プロセッサユニット１０が検知信号ＤＳを受信した場合、プロセッサユニット１０は、検知信号ＤＳに基づいて捕捉信号ＶＳを保存信号ＣＳにエンコードすると共に、記憶ユニット１４に記憶されている保存信号ＣＳを上書き又は削除しないように周期期間で保存信号ＣＳを記憶する。これにより、従来のイベントデータレコーダーと比べると、本考案に係るビデオ記録装置２は、特別の事件に関する信号を保存することができる。
【００２７】
詳しく説明すると、プロセッサユニット１０は、少なくとも一つの周期期間で捕捉信号ＶＳをエンコードする。プロセッサユニット１０は周期期間で検知信号ＤＳを受信していないと判定した場合、プロセッサユニット１０は、捕捉信号ＶＳを、上書き又は削除できる一時記憶信号ＴＳにエンコードすると共に、この一時記憶信号ＴＳを記憶ユニット１４に記憶する。一方、プロセッサユニット１０は周期期間で検知信号ＤＳを受信したと判定した場合、プロセッサユニット１０は、捕捉信号ＶＳを、上書き又は削除できない保存信号ＣＳにエンコードすると共に、この保存信号ＣＳを記憶ユニット１４に記憶する。
【００２８】
例を挙げて説明すると、検知ユニット１６が検知信号ＤＳを生成しない時、捕捉ユニット１２は、複数の捕捉信号ＶＳをプロセッサユニット１０に即時に伝送する。もちろん、プロセッサユニット１０は、これらの捕捉信号ＶＳをエンコードして周期期間（例えば５分間など）で一時記憶信号ＴＳを生成する。プロセッサユニット１０が検知信号ＤＳを受信していない場合、プロセッサユニット１０は、５分間ごとに一時記憶信号ＴＳを生成して、生成した一時記憶信号ＴＳを記憶ユニット１４に記憶する。
【００２９】
検知ユニット１６が検知信号ＤＳを生成した場合、プロセッサユニット１０は、検知信号ＤＳに基づいてこれらの捕捉信号ＶＳをエンコードして、周期期間で保存信号ＣＳを生成する。これにより、保存信号ＣＳを有する周期期間が保存されているため、上書き又は削除されることはない。一方、一時記憶信号ＴＳを有する周期期間は上書き又は削除されることができる。もちろん、周期期間はユーザーのニーズに応じて設計することができる。本実施例において、周期期間の時間は特に限定さていない。
【００３０】
検知ユニット１６は、プロセッサユニット１０に電気的に接続されており、交通手段の状態を検知することによって検知信号ＤＳを生成する。検知ユニット１６は、例えば振動センサ（Ｇ−ｓｅｎｓｏｒ）である。本実施例において、検知ユニット１６の形態は特に限定さていない。また、検知ユニット１６は、交通手段に搭載されており、交通手段が所定の振動値以上の振動を受けた時、検知信号ＤＳをプロセッサユニット１０に伝送する。この場合、プロセッサユニット１０は、検知信号ＤＳに基づいて捕捉信号ＶＳを保存信号ＣＳにエンコードすると共に、記憶ユニット１４に記憶されている保存信号ＣＳを上書き又は削除しない。
【００３１】
例を挙げて説明すると、振動センサは、自動車に搭載されており、その振動値が０．２Ｇに設定される。自動車が走行中で０．２Ｇ以上の振動を受けた場合、例えば自動車が窪みのある道路に走行して０．５Ｇの振動を受けた場合、検知ユニット１６は、０．５Ｇを表す検知信号ＤＳをプロセッサユニット１０に伝送する。すると、プロセッサユニット１０は、検知信号ＤＳに基づいて捕捉信号ＶＳを保存信号ＣＳにエンコードする。この場合、プロセッサユニット１０は、保存信号ＣＳを上書き又は削除しない。また、本実施例において、所定の振動値の数値は特に限定さていない。
【００３２】
記憶ユニット１４は、例えば装置内部のメモリ、外付けのメモリ又はキャッシュメモリなどの信号を記憶することができるメモリである。本実施例において、記憶ユニット１４の形態は、特に限定さていない。また、記憶ユニット１４は、プロセッサユニット１０に電気的に接続されており、例えば一時記憶信号ＴＳと保存信号ＣＳなどの二種類の信号を記憶する。一時記憶信号ＴＳは所定の時間で上書き又は削除される信号である。一方、保存信号ＣＳは上書き又は削除されない信号である。一時記憶信号ＴＳと保存信号ＣＳは、プログラムの設計により区別できる。例を挙げて説明すると、一時記憶信号ＴＳは、一般のビデオ信号であり、保存信号ＣＳは標記を有するビデオ信号、リードオンリーのビデオ信号、若しくは上書き又は削除されないビデオ信号である。また、本実施例において、一時記憶信号ＴＳ及び保存信号ＣＳの形態は特に限定されておらず、当業者が自由に設計すればよい。
【００３３】
例を挙げて説明すると、本考案において、ビデオファイルのフォーマットは、ＭＰＥＧ、ＡＶＩ、ＷＡＶ、ＷＭＡ、ＭＯＶ、ＲＭ、ＲＭＶＢなどのフォーマットであってもよい。実際の例を挙げて説明すると、一時記憶信号ＴＳは例えば２０１２０８０８０８００．ＡＶＩというビデオファイルでり、保存信号ＣＳは例えば＠２０１２０８０８０８００．ＡＶＩという標記のあるファイル名を有するビデオファイルである。標記のあるファイル名を有するビデオファイルの標記は、＠、＃、＆、＊又は特殊の符号に使用してもよく、特に限定されていない。標記のあるファイル名を有するビデオファイルのファイル名は、各種の数字、文字又は符号で任意に組み合わせるようにしてもよく、特に限定されていない。本実施例において、一時記憶信号ＴＳ及び保存信号ＣＳのファイル名の形態は特に限定されていない。
【００３４】
一方、他の実施例において、保存信号ＣＳは、ビデオフォーマットを表記したビデオファイルであってもよい。実際の例を挙げて説明すると、一時記憶信号ＴＳは例えば２０１２０８０８０８００．ＡＶＩというビデオファイルでり、保存信号ＣＳは例えば２０１２０８０８０８００．ＭＰＥＧというビデオフォーマットを表記したビデオファイルである。ビデオフォーマットを表記したビデオファイルは、ＭＰＥＧ、ＡＶＩ、ＷＡＶ、ＷＭＡ、ＭＯＶ、ＲＭ、ＲＭＶＢなどのビデオファイルのフォーマットであってもよく、特に限定されていない。ビデオフォーマットを表記したビデオファイルは、一時記憶信号ＴＳ及び保存信号ＣＳを区別するのに用いられることができる。また、本実施例において、一時記憶信号ＴＳ及び保存信号ＣＳのビデオフォーマットの形態は特に限定されておらず、当業者が自由に設計すればよい。
【００３５】
また、ビデオ記録装置２は、例えば５時間のビデオファイルを記憶することができる。この場合、記憶ユニット１４は、５時間の一時記憶信号ＴＳ又は保存信号ＣＳを記憶できる容量を有することが必要である。例えば、記憶ユニット１４は、一時記憶信号ＴＳを記憶する容量がいっぱいになった場合、現在の一時記憶信号ＴＳが５時間前の一時記憶信号ＴＳを上書き又は削除するようになっている。そして、一時記憶信号ＴＳが記憶ユニット１４に所定の時間で記憶されている。プロセッサユニット１０は、所定の時間で一時記憶信号ＴＳを上書き又は削除する。また、本実施例において、記憶ユニット１４の記憶容量及び記憶ユニット１４が一時記憶信号ＴＳを記憶する所定の時間は、特に限定されていない。
【００３６】
また、ビデオ記憶装置２は電源ユニット１８を更に含む。電源ユニット１８は、外部電力又は緊急電力をビデオ記憶装置２に供給するためのものである。例えば、電源ユニット１７は、交通手段の電源に電気的に接続されることによって、外部電力をビデオ記憶装置２における各ユニットに供給する。電源ユニット１８は、外部電力が中断した時、緊急電力をビデオ記録装置２に供給するための充電電池を更に含む。具体的に言えば、ビデオ記録装置２の外部電力が中断した時、電源ユニット１８は緊急電力をビデオ記録装置２に供給することによって、交通手段の周囲環境の映像と音声を記録し続けるようにビデオ記録装置２に正常運転させ続ける。
【００３７】
上述したように、ビデオ記録装置２において、捕捉ユニット２により交通手段の周囲環境の映像と音声を捕捉すると共に、検知ユニット１６により交通手段が振動を受ける状態を検知することによって、プロセッサユニット１０は、検知信号ＤＳに基づいて捕捉信号ＶＳを保存信号ＣＳにエンコードして、周期期間で保存信号ＣＳを記憶する。ここで、保存信号ＣＳは上書き又は削除されていない。これにより、ビデオ記憶装置２は、交通手段が巨大の振動、衝撃、衝突を受けたなどの事件が起こった場合、保存信号ＣＳが上書き又は削除されることができないように、事件が起こった過程の交通手段の周囲環境の映像と音声を記録することができる。また、ユーザーが入力ユニットにより保存信号ＣＳを手動で削除できるように設計してもよく、当業者は設計ニーズに応じて設計すればよい。
【００３８】
図３は、図２に示すビデオ記録装置のフローチャートを示すものである。図２及び図３を参照しながら説明する。説明の便宜上、本実施例において、プロセッサユニット１０が一つの周期期間で一つの一時記憶信号ＴＳ又は保存信号ＣＳを生成することを例として説明する。ステップＳ３０２において、捕捉ユニット１２は、交通手段の周囲環境の映像と音声を捕捉することによって、複数の捕捉信号ＶＳを生成する。捕捉ユニット１２は、捕捉信号ＶＳをプロセッサユニット１０に伝送する。続いて、プロセッサユニット１０は、捕捉信号ＶＳを受信して（ステップＳ３０４）、一つの周期期間で一つの一時記憶信号ＴＳを生成する。続いて、プロセッサユニット１０は、検知信号ＤＳを受信するか否かを判定する（ステップＳ３０６）。
【００３９】
ステップＳ３０６の判定結果が「いいえ」である場合、ステップＳ３０８へ移行して、プロセッサユニット１０は、捕捉信号ＶＳに基づいて一時記憶信号ＴＳを生成して記憶ユニット１４に記憶する。実際の応用において、プロセッサユニット１０は、検知信号ＤＳを受信しておらず、一時記憶信号ＴＳを生成する。ここで、一時記憶信号ＴＳが記憶ユニット１４に所定の時間で記憶された後、上書き又は削除されることができる。一方、ステップＳ３０６の判定結果が「はい」である場合、ステップＳ３１０へ移行して、プロセッサユニット１０は、検知信号ＤＳに基づいて捕捉信号ＶＳを保存信号ＣＳにエンコードして記憶ユニット１４に記憶する。実際の応用において、プロセッサユニット１０は、検知信号ＤＳを受信して保存信号ＣＳを生成する。ここで、保存信号ＣＳは、上書き又は削除されない方式で記憶ユニット１４に記憶される。
【００４０】
上述した内容から分かるように、プロセッサユニット１０が検知信号ＤＳを受信するか否かは、プロセッサユニット１０が異なる記憶形態の保存信号ＣＳ又は一時記憶信号ＴＳを生成することにかかわる。もちろん、保存信号ＣＳ及び一時記憶信号ＴＳは、同一の周期期間で二種類の異なる形態の信号を同時に存在しないように、異なる周期期間にそれぞれ存在する。例えば、保存信号ＣＳは一方の周期期間に存在する場合、この一方の周期期間において一時記憶信号ＴＳが存在していない。同様に、一時記憶信号ＴＳは他方の周期期間に存在する場合、この他方の周期期間において保存信号ＣＳが存在していない。もちろん、一時記憶信号ＴＳは所定の時間内で上書き又は削除されるのに対し、保存信号ＣＳは上書き又は削除されていない。
【００４１】
続いて、ステップＳ３１２において、プロセッサユニット１０が検知信号ＤＳを受信した期間が周期期間における前時期検知時間帯Ｐであるか否かを判定する。ステップＳ３１２の判定結果が「はい」である場合、ステップＳ３１４へ移行して、先前一時記憶信号を先前保存信号に転換して記憶ユニット１４に記憶する。一方、ステップＳ３１２の判定結果が「いいえ」である場合、ステップＳ３１６へ移行して、プロセッサユニット１０が検知信号ＤＳを受信した期間が周期期間における後時期検知時間帯Ａでるか否かを判定する。
【００４２】
実際の応用において、記憶ユニット１４は周期期間の前回期間における先前一時記憶信号を記憶し、プロセッサユニット１０は前時期検知時間帯Ｐで検知信号ＤＳを受信して、周期期間の前回期間における先前一時記憶信号を先前保存信号に転換する。もちろん、プロセッサユニット１０は、記憶ユニット１４に記憶されている先前保存信号を上書き又は削除しない。すると、周期期間及び周期期間の前回期間は保存信号が存在する。これにより、二つの周期期間における保存信号ＣＳは、特定事件のビデオ信号（ビデオファイル）を完全に記録することができる。
【００４３】
また、周期期間は、前時期検知時間帯Ｐ及び後時期検知時間帯Ａを含む。前時期検知時間帯Ｐは、周期期間における前時期時間帯である。後時期検知時間帯Ａは、周期期間における後時期時間帯である。前時期検知時間帯Ｐは、周期期間における先端の１／２、先端の１／３、先端の１／５又は先端のＮ／１のうちから一つの時間帯である。同様に、後時期検知時間帯Ａは、周期期間における後端の１／２、後端の１／３、後端の１／５又は後端のＮ／１のうちから一つの時間帯である。また、前時期検知時間帯Ｐ及び後時期検知時間帯Ａは、ユーザーのニーズにおじて自由に設計すればよく、本実施例において前時期検知時間帯Ｐ及び後時期検知時間帯Ａは周期期間のどの時間帯に位置するかについては特に限定されていない。
【００４４】
例を挙げて説明すると、プロセッサユニット１０は、周期期間で保存信号を生成する。具体的に言えば、周期期間は例えば５分間であり、周期期間の前端の１／５の時間帯は０から１分間である。この場合、前時期検知時間帯Ｐは、例えば周期期間における０から１分間である。プロセッサユニット１０が前時期検知時間帯Ｐで検知信号ＤＳを受信した場合、プロセッサユニット１０は、先前一時記憶信号を先前保存信号に転換すると共に、記憶ユニット１４に記憶される先前保存信号を上書き又は削除しない。すると、保存信号ＣＳ及び先前保存信号が保存される周期期間は１０分間に達する。これにより、特定事件が起こった過程の前後因果関係に関する映像と音声を完全に記録することができる。
【００４５】
続いて、ステップＳ３１６において、プロセッサユニット１０が検知信号ＤＳを受信した期間は周期期間における後時期検知時間帯Ａであるか否かを判定する。ステップＳ３１６の判定結果が「はい」である場合、ステップＳ３１８へ移行して、後続保存信号を生成して記憶ユニット１４に記憶する。一方、ステップＳ３１６の判定結果が「いいえ」である場合、ビデオ記録装置２の信号判定処理が完了した。
【００４６】
実際の応用において、プロセッサユニット１０は、後時期検知時間帯Ａで検知信号ＤＳを受信して、複数の後続捕捉信号を生成するように捕捉ユニット１２を制御する。プロセッサユニット１０は、周期期間の次回期間でこれらの後続捕捉信号を受信することによって後続保存信号を生成して記憶ユニット１４に記憶する。もちろん、この場合、プロセッサユニット１０は、記憶ユニット１４に記憶されている後続保存信号を上書き又は削除しない。すると、周期期間及び周期期間の次回期間には保存信号ＣＳが存在する。これにより、二つの周期期間の保存信号ＣＳは、特定事件のビデオファイルを完全に記録することができる。
【００４７】
例を挙げて説明すると、プロセッサユニット１０は、周期期間で保存信号を生成する。具体的に言えば、周期期間は例えば５分間であり、周期期間の後端の１／５の時間帯は４分間から５分間である。プロセッサユニット１０が後時期検知時間帯Ａで検知信号ＤＳを受信した場合、プロセッサユニット１０は、後続保存信号を生成すると共に、記憶ユニット１４に記憶される後続保存信号を上書き又は削除しない。すると、保存信号ＣＳ及び後続保存信号が保存される周期期間は１０分間に達する。これにより、特定事件が起こった過程の前後因果関係に関する映像と音声を完全に記録することができる。
【００４８】
また、ビデオ記録装置２の捕捉ユニット１２が捕捉信号ＶＳをプロセッサユニット１０に伝送し続けると、プロセッサユニット１０はステップＳ３０４乃至ステップＳ３１８を繰り返して執行する。また、本実施例において、プロセッサユニット１０が一つの周期期間で一つの一時記憶信号ＴＳ又は保存信号ＣＳを生成することを例として説明したが、図３に示すフローチャートに限定されておらず、当業者は設計ニーズに応じて設計すればよい。
【００４９】
また、先前保存信号、保存信号ＣＳ及び後続保存信号は、同じ類型の信号であり、例えば標記を有するビデオ信号、リードオンリーのビデオ信号、若しくは上書き又は削除されないビデオ信号である。プロセッサユニットが検知信号を受信した周期期間、周期期間の前回期間及び周期期間の次回期間を区別するために、異なる名称の保存信号ＣＳを使用する。即ち、本実施例において、先前保存信号、保存信号ＣＳ及び後続保存信号の記憶フォーマット及び記憶方式は特に限定されていない。
【００５０】
また、繰り返して撮影していない場合若しくは所定のファイル数に到達していない場合、プロセッサユニット１０は先前保存信号、保存信号ＣＳ、後続保存信号を上書き又は削除しない。先前保存信号、保存信号ＣＳ及び後続保存信号は、同じ類型の信号である。プロセッサユニット１０が先前保存信号、保存信号ＣＳ、後続保存信号を処理する方法は上述した実施例と同じであるため、その詳細な説明を省略する。本考案において、繰り返して撮影していない場合若しくは所定のファイル数に到達していない場合、プロセッサユニット１０が先前保存信号、保存信号ＣＳ、後続保存信号を上書き又は削除しないという動作方式に限定されておらず、ユーザーのニーズに応じて自由に設定することができる。図４Ａは、図３に示すビデオ記録装置の動作タイミングを示すものである。図４Ｂは、図３に示すビデオ記録装置の他の実施例の動作タイミングを示すものである。図２、図４Ａ及び図４Ｂを参照しながら説明する。図４Ａは、ビデオ記録装置２の動作タイミングを示す。ビデオ記録装置２が交通手段に搭載されて、交通手段の周囲環境の映像と音声を記録する場合、検知ユニット１６は、交通手段が所定の振動値を超えた振動を受けた状況を検知した時、前時期検知時間帯Ｐで第１の検知信号Ｄ１を生成してプロセッサユニット１０に伝送する。プロセッサユニット１０は、第１の検知信号Ｄ１を受信し、周期期間Ｔ３で保存信号ＣＳを生成して、生成した保存信号ＣＳを記憶ユニット１４に記憶する。
【００５１】
前時期検知時間帯Ｐは、周期期間Ｔ３前端の１／Ｎ（Ｎは正整数である）から選択する時間帯である。周期期間Ｔ３の前回期間における先前一時記憶信号は先前保存信号に転換される。すると、周期期間Ｔ３の保存信号ＣＳ及び周期期間Ｔ２の先前保存信号は、上書き又は削除されることがない。これにより、二つの周期期間Ｔ２、Ｔ３における保存信号ＣＳは保存される。この場合、他の周期期間Ｔ１には、一時記憶信号ＴＳが記憶される。
【００５２】
交通手段が走行し続ける場合、検知ユニット１６は、交通手段が再び所定の振動値を超えた振動を受けた状況を検知した時、後時期検知時間帯Ａで第２の検知信号Ｄ２を生成してプロセッサユニット１０に伝送する。プロセッサユニット１０は、第２の検知信号Ｄ２を受信し、周期期間Ｔ３で保存信号ＣＳを生成して、生成した保存信号ＣＳを記憶ユニット１４に記憶する。この場合、周期期間Ｔ３において、既に第１の検知信号Ｄ１に基づいて保存信号ＣＳを生成したが、第２の検知信号Ｄ２に基づいて生成した信号も保存信号ＣＳである。もちろん、第１の検知信号Ｄ１は、第２の検知信号Ｄ２の判定工程及び判定フローチャートを影響しない。
【００５３】
後時期検知時間帯Ａは、周期期間Ｔ３後端の１／Ｎ（Ｎは正整数である）から選択する時間帯である。プロセッサユニット１０は、周期期間Ｔ３の次回期間で後続保存信号を生成する。すると、周期期間Ｔ３の保存信号ＣＳ及び周期期間Ｔ４の後続保存信号は、上書き又は削除されることがない。これにより、二つの周期期間Ｔ３、Ｔ４における保存信号ＣＳは保存される。この場合、他の周期期間Ｔ１には、一時記憶信号ＴＳが記憶される。
【００５４】
上述した内容から分かるように、ビデオ記録装置２は、時間順序で五つの周期期間Ｔ１、Ｔ２、Ｔ３、Ｔ４、Ｔ５において交通手段の周囲環境の映像と音声を記録する。例を挙げて説明すると、ビデオ記録装置２は、周期期間Ｔ３において、第１の検知信号Ｄ１と第２の検知信号Ｄ２を受信することによって、保存信号ＣＳを生成する。これにより、三つの周期期間Ｔ２、Ｔ３、Ｔ４における保存信号ＣＳは、交通手段の周囲環境の映像と音声をより完全に記録することができる。この場合、他の周期期間Ｔ１、Ｔ５における一時記憶信号ＴＳは、所定の時間で上書き又は削除されるようになっている。
【００５５】
他の実施例において、図４Ｂに示すように、プロセッサユニット１０が周期期間Ｔ３において第３の検知信号Ｄ３を受信した場合、プロセッサユニット１０が第３の検知信号Ｄ３を受信した期間は前時期検知時間帯Ｐ及び後時期検知時間帯Ａに位置していないため、プロセッサユニット１０は、周期期間Ｔ３のみで保存信号ＣＳを生成する。すると、プロセッサユニット１０は、周期期間Ｔ３の前回期間及び次回期間で保存信号ＣＳを生成しない。また、本実施例で説明したビデオ記録装置２の動作タイミングは例示に過ぎず、図４Ｂに限定されていない。
【００５６】
図５は、本考案の他の実施例に係るビデオ記録装置の機能ブロックの模式図を示すものである。図５には、前の実施例と同じ素子に対して同じ符号を示す。図５に示すビデオ記録装置３と図２に示すビデオ記録装置２の相違点は、ビデオ記録装置３は、少なくとも一つの出力ユニット２０及び一つの入力ユニット２２を更に含み、プロセッサユニット１０が出力ユニット２０と入力ユニット２２との間に電気的に接続されることにある。
【００５７】
具体的に言えば、出力ユニット２０は、例えばディスプレイ、ＬＣＤ、ＬＥＤ表示ランプ、音響機器又はスピーカーである。本実施例において、出力ユニット２０の形態と数量は特に限定されていない。入力ユニット２２は、例えば実体のキーボード、タッチパネル、ローラー、ロール、操作棒又はマウスである。本実施例において、入力ユニット２２の形態は特に限定されていない。
【００５８】
記憶ユニット１４は、プロセッサユニット１０に電気的に接続される。記憶ユニット１４は、例えば、信号を記憶するためのメモリである。記憶ユニット１４は、例えば保存エリア１４０及び一時記憶エリア１４２を含む。保存信号ＣＳは、保存エリア１４０に保存される。一時記憶信号ＴＳは、保存エリア１４０に記憶されておらず、一時記憶エリア１４２に記憶される。保存エリア１４０に保存される保存信号ＣＳは、上書き又は削除されることがない。一時記憶エリア１４２に記憶される一時記憶信号ＴＳは上書き又は削除されることができる。また、本実施例において、保存信号ＣＳ又は一時記憶信号ＴＳを記憶する方式は特に限定されていない。
【００５９】
捕捉ユニット１２は、映像捕捉ユニット１２０及び音声捕捉ユニット１２２を更に含む。プロセッサユニット１０は、映像捕捉ユニット１２０と音声捕捉ユニット１２２との間に電気的に接続される。他の部分は前の実施例と同じであるため、その説明を省略する。
【００６０】
本考案に係るビデオ記録装置によれば、交通事故が起こった過程を完全に記録すると共に、検知ユニットにより特定事件を記録することによって特定事件を迅速に掌握することができる。また、ビデオ記録装置のプロセッサユニットは、検知信号を受信した期間に基づいて周期期間で保存信号を生成したり、周期期間及び周期期間の前回期間で二つの周期期間に存在する保存信号を生成したり、周期期間及び周期期間の次回期間で二つの周期期間に存在する保存信号を生成したりする。これにより、本考案に係るビデオ記録装置は、特定事件を完全に記録する機能をより向上できると共に、使用利便性を向上できる。
【００６１】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００６２】
１、２、３    ビデオ記録装置
９    交通手段
１０    プロセッサユニット
１１    本体
１２、１３    捕捉ユニット
１４    記憶ユニット
１６    検知ユニット
１８    電源ユニット
２０    出力ユニット
２２    入力ユニット
１２０    映像捕捉ユニット
１２２    音声捕捉ユニット
１４０    保存エリア
１４２    一時記憶エリア
Ｐ    前時期検知時間帯
Ａ    後時期検知時間帯
Ｄ１    第１の検知信号
Ｄ２    第２の検知信号
Ｄ３    第３の検知信号
Ｔ１、Ｔ２、Ｔ３、Ｔ４、Ｔ５    周期期間
ＶＳ    捕捉信号
ＤＳ    検知信号
ＴＳ    一時記憶信号
ＣＳ    保存信号
【図１】
0003182439.tif 000003
【図２】
0003182439.tif 000004
【図３】
0003182439.tif 000005
【図４Ａ】
0003182439.tif 000006
【図４Ｂ】
0003182439.tif 000007
【図５】
0003182439.tif 000008